(57)【要約】【課題】積紙の上へ枚葉紙を搬送するための装置において、要求に応じて欠陥のある枚葉紙をほぼ残さず主紙流から除去できるようにすること。【解決手段】枚葉紙を積紙の上へ搬送するための装置であって、主紙流にて搬送する場合に枚葉紙を保持するための搬送部材と、搬送部材から積紙の上へ枚葉紙を落下させるための制御部材と、欠陥枚葉紙を主紙流から副紙流へ偏向させるための別の制御部材とを有している形式のものにおいて、副紙流に欠陥枚葉紙（２３，２４，５１）を裁断する装置（２６，２８；５２，５３）が配置されていること。【選択図】図１
2005132627.tif 000002
【特許請求の範囲】
【請求項１】
枚葉紙を積紙の上へ搬送するための装置であって、主紙流にて搬送する場合に枚葉紙を保持するための搬送部材と、搬送部材から積紙の上へ枚葉紙を落下させるための制御部材と、欠陥枚葉紙を主紙流から副紙流へ偏向させるための別の制御部材とを有している形式のものにおいて、副紙流に欠陥枚葉紙（２３，２４，５１）を裁断する装置（２６，２８；５２，５３）が配置されていることを特徴とする、積紙の上へ枚葉紙を搬送するための装置。
【請求項２】
欠陥枚葉紙を裁断する前記装置が互いに逆向きに回転する２つのシリンダ（２６，２８；５２，５３）から成り、該シリンダ（２６，２８；５２，５３）が切刃（４１，４２）を有している、請求項１記載の装置。
【請求項３】
一方のシリンダ（２６）に枚葉紙（２３，２４）の前縁のためのグリッパ（２５）が配置されている、請求項２記載の装置。
【請求項４】
欠陥枚葉紙を裁断する前記装置に、裁断された枚葉紙（２３，２４，５１）を吸い出す装置（３５，６４）が配属されている、請求項１記載の装置。
【請求項５】
枚葉紙（２３，２４）を保持するための搬送部材としてエンドレスなチェーン（３）に配置されたグリッパ（４−８）が設けられており、前記チェーン（３）が下側のチェーン区分と上側のチェーン区分との間で変向ローラ（９）を介して案内されており、積紙（２）が下側のチェーン区分の下に配置されかつ欠陥枚葉紙を裁断する装置（２６，２８）が上側のチェーン区分の上に配置されている、請求項１記載の装置。
【発明の詳細な説明】
【技術分野】
【０００１】
本発明は請求項１の上位概念として記載した、積紙の上へ枚葉紙を搬送するための装置に関する。
【背景技術】
【０００２】
ＤＥ４３０２１２６Ａ１号明細書には、印刷機から積紙へ枚葉紙を搬送するための装置であって、搬送に際して枚葉紙が前縁部にてグリッパで把持される形式のものが記載されている。グリッパは変向ローラを介して案内されたエンドレスなチェーンに固定されている。変向ローラの１つにおけるチェーン巻掛け領域には分岐器又は変向装置が配置されている。この分岐器又は変向装置は試験紙又は欠陥紙を主紙流から排出し、搬送方向で積紙の上流側に配置された容器内へ搬入する。試験紙又は欠陥紙を完全に手で取出すためには前記容器は旋回可能に配置されている。
【０００３】
ＤＥ４１４０３６５Ａ１号明細書には帯紙を仕上げ処理するための回転横裁ち機であって、縦裁ち及び横裁ちに際して発生した単個ストリップが吸出しによって除かれる形式のものが開示されている。吸出し装置は帯紙の搬送路の下側にも上側にも存在している。折り製品は排出部に集められる。
【特許文献１】ＤＥ４３０２１２６Ａ１号明細書
【特許文献２】ＤＥ４１４０３６５Ａ１号明細書
【発明の開示】
【発明が解決しようとする課題】
【０００４】
本発明の課題は要求に応じてほとんど残すことなく欠陥枚葉紙を主紙流から除去できる、積紙上へ枚葉紙を搬送する装置を提供することである。
【課題を解決するための手段】
【０００５】
本発明の課題は、請求項１の特徴を有する装置によって解決された。
【０００６】
有利な構成は従属請求項に記載されている。
【０００７】
本発明によれば枚葉紙の搬送路において、副紙流に裁断装置が配置されている。欠陥紙は主紙流から排出されかつ自動的に裁断装置に引渡される。裁断された枚葉紙材料は吸出しにより除去されることができる。
【０００８】
本発明はチェーンに固定されたグリッパにおいて枚葉紙が前縁もしくは後縁にて把持される排紙部を備えた枚葉印刷機において有利な形式で使用可能である。チェーンは変向ローラを介して案内されかつ軌道に沿って積紙の上を導かれる。作業員によって又は検出器を用いて、反故紙が印刷されたことが認識されると、チェーン軌道の下側軌道区分におけるグリッパは積紙の上の領域では開放されない。欠陥紙は変向ローラを介して先へ導かれ、副紙流にて裁断装置に供給される。裁断装置が切刃を有する２つの逆向きに回転するシリンダから成っていると、欠陥紙は一方のシリンダに固定されたグリッパシステムにより引取られる。この場合には吸込み装置は上側の軌道区分の上側に設けられる。
【発明を実施するための最良の形態】
【０００９】
以下、図示の実施例に基づき本発明を説明する。
【００１０】
図１には枚葉印刷機の排紙装置における積紙２の上へ枚葉紙１を搬送する装置が概略的に示されている。排紙装置はチェーン３に固定されたグリッパ４から８までを有するチェーングリッパシステムを有している。チェーン３は変向ドラム９に巻掛けられかつ軌道に沿って案内されている。チェーングリッパシステムの下側のチェーン区分は部分領域１０では積紙２の上面に対しほぼ平行に延在している。枚葉印刷機の最後の印刷部から搬送されて来る枚葉紙の前縁は前縁グリッパ４，６，８に把持され、枚葉紙の後縁は後縁グリッパ５，７に把持されている。前縁グリッパ４，６，８と後縁グリッパ５，７は同期的に循環する。グリッパ４から８まではそれぞれグリッパブリッジの上に位置している。グリッパ４から８までの開閉はそれぞれグリッパ軸１０から１５で行われる。グリッパ軸１０から１５はそれぞれローラレバー伝動装置１６から２０と連結されている。
【００１１】
主紙流における積紙２の上に排紙するためには枚葉紙１は前縁グリッパ４，６，８と後縁グリッパ５，７で積紙２の上へ搬送される。積紙２の上側ではローラレバー伝動装置１６から２０のローラが制御カム２１，２２の上を走行する。その際各グリッパ４から８は開放される。主紙流における枚葉紙１は積紙２の上面の上へ落下する。積紙２は生産の進行に相応して下降させられるので落下高さはほぼコンスタントである。
【００１２】
欠陥枚葉２３が発生すると、枚葉印刷機の制御装置から信号が発せられ、この信号は主紙流における制御カム２１，２２をローラレバー伝動装置１６から２０までのローラ軌道の外にもたらす。ローラが制御カム２１，２２の上を転動しないので、主紙流にてグリッパ４から８は開放させられない。欠陥枚葉紙２３はグリッパ５，６により副紙流にて引続き搬送され、変向ドラム９を介し、チェーン２３の上側のチェーン区分に達する。チェーン３の軌道の上側と下側とにおいては上側のチェーン区分にて前縁グリッパ４，６，８と後縁グリッパ５，７とのために別の制御カム２４，２５が配置されている。欠陥枚葉紙２３，２４を把持する前縁グリッパ４，６，８のローラが制御カム２４に乗り上げると、該当する前縁グリッパ４，６，８が開放される。この場合、欠陥枚葉紙２３，２４の前縁はシュレッダローラ２６の上に配置されたグリッパブリッジのグリッパ２５により把持される。グリッパ２５を開閉するためには不動のカム２７が設けられている。シュレッダローラ２６は第２のシュレッダローラ２８と協働する。両方のシュレッダローラ２８は同期的に回転し、チェーン３の送り速度に相応する周速度を有している。シュレッダローラ２６，２８はその軸２９，３０で互いに平行に支承されている。軸３０は鉛直方向で軸２９よりもいくらか高く位置しているので、グリッパ４，８は衝突することなくシュレッダローラ２８を通過する。両方のシュレッダローラ２６，２８は互いに協働する刃を有している。欠陥枚葉紙がシュレッダローラ２６，２８の間のギャップに達すると、グリッパ２５が開放される。枚葉紙２３，２４はストリップ３３に裁断され、ストリップ３３は吸出し装置３５の構成部分であるホッパ３４に達する。後縁グリッパ５，７のためのローラレバー伝動装置のローラが制御カム２５に乗り上げると欠陥枚葉紙２３，２４の後縁が解放される。枚葉紙の残りはシュレッダローラ２６，２８でギャップ３２内へ搬送され、引続き裁断される。吸出し装置３５は裁断された枚葉紙が残らず枚葉印刷機から除去されるために役立つ。
【００１３】
図２にはシュレッダローラ２６，２８が詳細に示されている。シュレッダローラ２６，２８はピン３６から３９を有し、該ピン３６から３９でシュレッダローラ２６，２８は枚葉印刷機の排紙装置のフレーム４０に支承されている。シュレッダローラ２６，２８の外套面にはそれぞれ１つの方形の切刃プロフィール４１，４２が構成されている。切刃プロフィール４１，４２の溝とウエブ４４は交互に係合しあっている。溝４３もしくはウエブ４４の側面４５，４６は切断面を形成している。シュレッダローラ２６のグリッパは回転可能に支承されたグリッパ軸４７に配置されている。グリッパ軸４７はローラ４９を有するローラレバー４８と連結されている。ローラ４９はカム２７（図１）の上を転動する。グリッパ２５の幅はウエブ４４の幅よりもわずかである。各グリッパ２５にはシュレッダローラ２８にて切欠き５０が配属されている。この切欠き５０内へグリッパ２５がシュレッダローラ２６，２８の回転に際して侵入する。１つの切欠き５０の幅は溝４３の幅よりも狭く構成されている。
【００１４】
図３には枚葉印刷機のチェーン排紙装置の下側のチェーン区分に欠陥枚葉紙５１の放出装置と裁断装置が配置されている本発明の変化実施例が示されている。積紙への搬送路には２つのシュレッダローラ５２，５３が配置されている。シュレッダローラ５２，５３の軸５４，５５は互いに平行にかつ鉛直方向で互いにずらされて位置している。欠陥枚葉紙５１は積紙の上に置かれるのではなく、前縁グリッパ５６で引続き搬送される。搬送路にてシュレッダローラ５２の前には制御カム５７が配置されている。この制御カム５７はグリッパ５６を開放する。ブロー条片５８で枚葉紙５１の前縁は、前縁が変向ローラ６０，６１に巻掛けられかつシュレッダローラ５２の外套面に接する搬送ベルト５９により掴まれるまでシュレッダローラ５２に向かって押し下げられる。搬送ベルト５９は枚葉紙５１をシュレッダローラ５２，５３の間のギャップ６２へ搬送する。図１と図２と関連して記述したように枚葉紙５１はストリップ６３に裁断され、吸出し装置６４で枚葉紙印刷機から除去される。
【図面の簡単な説明】
【００１５】
【図１】枚葉印刷機の排紙装置における積紙の上へ枚葉紙を搬送する装置を示した概略図。
【図２】シュレッダローラ対の平面図。
【図３】欠陥紙をシュレッダに供給する装置の変化実施例を示した図。
【符号の説明】
【００１６】
１  枚葉紙、  ２  積紙、  ３  チェーン、  ４，５，６，７，８  グリッパ、  ９  変向ドラム、  １０  部分領域、  １１，１２，１３，１４，１５  グリッパ軸、  １６，１７，１８，１９，２０  ローラレバー伝動装置、  ２１，２２  制御カム、  ２３，２４  枚葉紙、  ２５  グリッパ、  ２６  シュレッダローラ、  ２７  カム、  ２８  シュレッダローラ、  ２９，３０，３１  軸、  ３２  ギャップ、  ３３  ストリップ、  ３４  ホッパ、  ３５  吸出し装置、  ３６，３７，３８，３９  ピン、  ４０  フレーム、  ４１，４２  切刃プロフィール、  ４３  溝、  ４４  ウエブ、  ４５，４６  側面、  ４７  グリッパ軸、  ４８  ローラレバー、  ４９  ローラ、５０  切欠き、  ５１  枚葉紙、  ５２，５３  シュレッダローラ、  ５４，５５  軸、  ５６  グリッパ、  ５７  制御カム、  ５８  ブロー条片、  ５９  搬送ベルト、  ６０，６１  変向ローラ、  ６２  ギャップ、  ６３  ストリップ、  ６４  吸出し装置
【図１】
2005132627.tif 000003
【図２】
2005132627.tif 000004
【図３】
2005132627.tif 000005